(57)【要約】      （修正有）【課題】交通誘導棒を操る誘導員の動作表現力格差を補い、事故の誘発を防止できる誘導棒を提供する。【解決手段】固定誘導棒部位と回転誘導棒部位から成り、各々の交点の回転軸で連結し一体としたクロス誘導棒であって、回転誘導棒部位が、固定誘導棒部位との交点を軸に回転し、双方の誘導棒のストッパー部位で止まることにより、固定誘導棒部位と回転誘導棒部位がバツ形状を形作るとともに、回転誘導棒部位が、固定誘導棒部位に対して閉じている時は、一本の誘導棒のように見えることを特徴とする。【選択図】図１
0003199736.tif 000002
【実用新案登録請求の範囲】
【請求項１】
本考案のクロス誘導棒は、固定誘導棒部位と回転誘導棒部位から成り、各々の交点の回転軸で連結し一体の誘導棒を構成する。本考案の回転誘導棒部位は、固定誘導棒部位との交点を軸に回転し、双方の誘導棒のストッパー部位で止まり、一般的な行為の禁止を表すバツ形状を形作って交通誘導に於いては進入禁止を表す。本考案のクロス誘導棒は、回転誘導棒を閉じている時は一本の誘導棒に見え従来の誘導棒と同様な動作ができ、回転誘導棒を回転させて開くと進入禁止を表す具体的なバツ形状となり、被誘導員の視認判断を的確化することを特徴としたクロス誘導棒である。
【考案の詳細な説明】
【技術分野】
【０００１】
本考案は、交通整理を行う誘導員が用いる交通誘導棒（以下、誘導棒）が形状変化するクロス誘導棒に関するものである。
【０００２】
一般的には、一本の誘導棒で進めと止まれを誘導員の動作変化で示している。
【０００３】
従来の誘導棒を用いて行う誘導員の交通整理誘導動作（以下、動作）には個人差があり、誘導員の不明瞭な動作により被誘導員が視認判断を誤って事故を誘発する恐れを秘めている。
【０００４】
誘導棒を両手で胸の前にかざし、進行してくる車両の真正面に立って合図する危険な動作を行う誘導員がいる。
【０００５】
一般的には、赤色の誘導棒一本で誘導が行われていることが多いが、青（進め）と赤（止まれ）に色分けした誘導棒での誘導も行われている。
【０００６】
誘導棒には、蛍光塗料誘導棒とＬＥＤ発光誘導棒が既存にあり、青色単体や赤色単体、ＬＥＤ発光誘導棒では、スイッチ切替えによって発光色を分けるものがある。
【０００７】
誘導棒の色分けによる誘導では、色の意味合いにより被誘導員の視認混乱が改善される一方、誘導員の色の差し違え懸念と不適切動作などの課題は残る。
【０００８】
誘導員が示す動作の的確性や安全性は、誘導員の動作資質に左右されるところが多く、誘導員の動作資質格差や不安定な動作を補う機能を持った誘導棒が求められる。
【考案の概要】
【考案が解決しようとする課題】
【０００９】
本考案のクロス誘導棒は、誘導員の誘導動作が進めなのか止まれなのか不明瞭な動作であったとしても、被誘導員が迷うことなく的確に視認判断できる形状を示す機能を備えたクロス誘導棒を提供することを目的とする。
【課題を解決するための手段】
【００１０】
本考案のクロス誘導棒は、従来の誘導棒と異なり、固定誘導棒部位（以下、固定誘導棒）に垂直回転する回転誘導棒部位（以下、回転誘導棒）とで一体の誘導棒を構成する。
【００１１】
本考案のクロス誘導棒は、回転誘導棒及び固定誘導棒の互いの交点を回転軸で連結し回転誘導棒を回転させる。
【００１２】
本考案のクロス誘導棒は、回転誘導棒を閉じている時は一本の誘導棒であるが、回転誘導棒を回転させると固定誘導棒とバツ形状を形作る。
【００１３】
本考案のクロス誘導棒は、固定誘導棒と回転誘導棒の柄の部分の両方を片手で一緒に握ることができ、両方の柄を握っている時は一本の誘導棒に見え、回転誘導棒の柄の部分を握り手から離すと回転誘導棒全体が固定誘導棒と垂直に回転しバツ形状を形作り、固定誘導棒を垂直に立てると元に戻り一本の誘導棒となる。
【考案の効果】
【００１４】
以上の説明から明らかなように本考案のクロス誘導棒では次に列挙する効果が得られる。
【００１５】
本考案のクロス誘導棒は、誘導棒自体が交通進入禁止を意味する止まれを意味する具体的なバツ形状を形作るので、被誘導員は、誘導員の動作資質に左右されることなく視認判断することができる。
【００１６】
本考案のクロス誘導棒の回転誘導棒の回転は、自然応用回転構造となっているので電気的動力源は不要である。
【００１７】
本考案のクロス誘導棒の特徴である回転誘導棒は、既存の誘導棒にも応用でき被誘導員の視認判断を向上させることができる。
【００１８】
本考案のクロス誘導棒は、従来の誘導棒と同様に容易に操作することができる構造である。
【図面の簡単な説明】
【００１９】
【図１】図１は本考案のクロス誘導棒の回転誘導棒を回転させた全体図である。
【図２】図２は本考案のクロス誘導棒を閉じた全体図である。
【図３】図３は本考案のクロス誘導棒の平面図である。
【図４】図４は本考案のクロス誘導棒の側面図である。
【図５】図５は本考案のクロス誘導棒の平面図である。
【図６】図６は本考案のクロス誘導棒の側面図である。
【図７】図７は本考案のクロス誘導棒の両誘導棒の回転軸側面部分図である。
【図８】図８は本考案のクロス誘導棒の回転軸平面部分図である。
【図９】図９は本考案のクロス誘導棒の握り柄部分の側面部分図である。
【図１０】図１０は本考案のクロス誘導棒の回転誘導棒の握り柄部分の側面部分図である。
【考案を実施するための形態】
【００２０】
従来の一般的な誘導棒は、横断面が真円の一本の棒状であるが、本考案のクロス誘導棒は、横断面が半円の２本の横長棒の各々の交点を回転軸として連結して一体の誘導棒を成す。本考案のクロス誘導棒の２本の日音の、両方の誘導棒の交点を回転軸で連結し、回転誘導棒を回転させて固定誘導棒とクロスして「×」を形取る位置でストッパーにて止まる。固定誘導棒を垂直に立てると一本の誘導棒となり、誘導棒の両方の握り柄部分握って固定させ、回転誘導棒の握り柄部分を握り手から外し、固定誘導棒を平行にすると回転誘導棒が「×」を形取る位置まで回転して止まる。回転誘導棒の回転動力は、回転棒に配した重りで中心軸左右の重量の不均衡を生じさせて得る。回転誘導棒の開閉ロックは、回転誘導棒の握り柄部分に掛かっている握り手の指の動作で行うが、固定誘導棒の握り柄部分に開閉操作部品を組み込むことも可能である。本考案の回転誘導棒機能を従来の誘導棒に組込み、具体的な形状変化で示すことで視認判断が向上する。
【図１】
0003199736.tif 000003
【図２】
0003199736.tif 000004
【図３】
0003199736.tif 000005
【図４】
0003199736.tif 000006
【図５】
0003199736.tif 000007
【図６】
0003199736.tif 000008
【図７】
0003199736.tif 000009
【図８】
0003199736.tif 000010
【図９】
0003199736.tif 000011
【図１０】
0003199736.tif 000012
【手続補正書】
【提出日】平成27年7月2日(2015.7.2)
【手続補正１】
【補正対象書類名】実用新案登録請求の範囲
【補正対象項目名】全文
【補正方法】変更
【補正の内容】
【実用新案登録請求の範囲】
【請求項１】
固定誘導棒部位と回転誘導棒部位から成り、各々の交点の回転軸で連結し一体の誘導棒を構成したクロス誘導棒であって、
回転誘導棒部位が、固定誘導棒部位との交点を軸に回転し、双方の誘導棒のストッパー部位で止まることにより、固定誘導棒部位と回転誘導棒部位がバツ形状を形作ることができるとともに、
回転誘導棒部位が、固定誘導棒部位に対して閉じている時は、固定誘導棒部位と回転誘導棒部位が一本の誘導棒のように見えることを特徴とするクロス誘導棒。